(57)【要約】【課題】複雑なメモリ管理を行うことなく色成分間の位置ずれ補正を行うことができるカラー画像読取装置を提供することを目的とする。【解決手段】原稿に対する相対移動方向に所定の間隔を隔てて位置する複数の読取ラインを移動させつつトリガ信号に応じて複数の読取ラインが位置する原稿の画像を当該複数の読取ラインにそれぞれ対応する複数のラインセンサ３１により読取って複数色成分のライン画像信号を出力する画像読取手段１１と、複数のラインセンサ３１に対して個別にトリガ信号を出力するトリガ信号出力手段３３と、を備え、トリガ信号出力手段３３は、下流側の読取ラインに対応するラインセンサ３１Ｒに対してトリガ信号を出力した際にラインセンサ３１Ｒに対応する読取ラインが位置した読取ラインまで上流側の読取ライン３１Ｇ，３１Ｂが移動したときに、ラインセンサ３１Ｇ，３１Ｂに対してトリガ信号を出力するカラー画像読取装置１。【選択図】図２
2006135583.tif 000002
【特許請求の範囲】
【請求項１】
原稿に対する相対移動方向に所定の間隔を隔てて位置する複数の読取ラインを前記相対移動方向に移動させつつトリガ信号に応じて前記複数の読取ラインが位置する前記原稿の画像を当該複数の読取ラインにそれぞれ対応する複数のラインセンサにより読取って複数色成分のライン画像信号を出力する画像読取手段と、前記複数のラインセンサに対して個別に前記トリガ信号を出力するトリガ信号出力手段と、を備え、
前記トリガ信号出力手段は、前記相対移動方向の下流側の読取ラインに対応するラインセンサに対してトリガ信号を出力した際に当該ラインセンサに対応する読取ラインが位置した読取ラインまで上流側の読取ラインが移動したときに、該上流側の読取ラインに対応するラインセンサに対してトリガ信号を出力することを特徴とするカラー画像読取装置。
【請求項２】
前記画像読取手段が出力したライン画像信号を色成分毎に異なる領域に格納する格納手段と、該格納手段の各領域からそれぞれ１ラインのライン画像信号を同時に読出して所定の転送先に転送する転送手段と、を備えることを特徴とする請求項１に記載のカラー画像読取装置。
【発明の詳細な説明】
【技術分野】
【０００１】
本発明は、カラー画像読取装置に関し、詳しくは複数のラインセンサにより原稿の画像を読取って複数色成分のライン画像信号からなるカラー画像データを出力するカラー画像読取装置に関するものである。
【背景技術】
【０００２】
原稿のカラー画像データを読取るカラー画像読取装置では、通常、Ｒ（Red）、Ｇ（Green）、Ｂ（Blue）の３つのラインセンサからなるカラーラインセンサ（ＣＣＤ：Charge Coupled Device）により原稿を走査し、ＲＧＢの３成分のライン画像信号からなるカラー画像データを読取っている。このようなカラー画像読取装置においては、３つのラインセンサに対応するそれぞれの読取位置（以下、「読取ライン」ともいう。）は、原稿の副走査方向に所定の間隔を隔てて位置しているため、ＲＧＢの各色成分間で読取位置が副走査方向にずれた状態のカラー画像データがカラーラインセンサから出力される。そのため、このカラー画像データに対して色成分間の位置ずれ補正を行う必要がある。この位置ずれ補正を行う装置としては、例えば、特許文献１に開示されているカラー画像読取装置がある。
【０００３】
特許文献１のカラー画像読取装置は、図７に示すように、ＲＧＢの３つのラインセンサからなるカラーラインセンサ９１により原稿のカラー画像データを読取り、読取られたＲＧＢの各色成分のライン画像信号からなるカラー画像データには、アナログ処理回路９２において、サンプリング処理、ゲイン調整、オフセット処理等のアナログ処理が施される。そして、アナログ処理が施されたＲＧＢの各色成分のライン画像信号は、Ａ／Ｄコンバータ９３においてＡ／Ｄ変換され、シェーディング補正回路９４においてシェーディング補正される。シェーディング補正されたＲ成分及びＧ成分のライン画像信号は、Ｒ成分用のメモリ９５ＲとＧ成分用のメモリ９５Ｇにそれぞれ格納される。そして、Ｂ成分のライン画像信号がシェーディング補正回路９４から出力されると同時に、そのライン画像信号の読取ラインと同じ読取ラインのＲ成分のライン画像信号とＧ成分のライン画像信号がメモリ９５Ｒ，９５Ｇからそれぞれ読出されることにより、原稿の画像を同じ読取位置で読取ったＲＧＢの各色成分のライン画像信号がドット補正回路９６に同時に出力される。
【特許文献１】特開２０００−１２５１２０号公報
【発明の開示】
【発明が解決しようとする課題】
【０００４】
しかしながら、特許文献１に開示されているカラー画像読取装置では、カラー画像データの色成分間の位置ずれ補正を行うために、Ｒ成分及びＧ成分のライン画像信号をメモリ９５Ｒ、９５Ｇにそれぞれ格納し、同じ読取位置のＲＧＢの３成分のライン画像信号が同時に出力されるように、メモリ９５Ｒ，９５Ｇに対するタイミング制御やアドレス制御等の複雑なメモリ管理を行わなければならなかった。
【０００５】
本発明は、かかる問題を解決すべくなされたものであり、原稿の画像を複数のラインセンサにより読取って複数色成分のライン画像信号を出力するカラー画像読取装置において、複雑なメモリ管理を行うことなく色成分間の位置ずれ補正を行うことができるカラー画像読取装置を提供することを目的とする。
【課題を解決するための手段】
【０００６】
上記目的を達成するために、請求項１に記載のカラー画像読取装置は、原稿に対する相対移動方向に所定の間隔を隔てて位置する複数の読取ラインを前記相対移動方向に移動させつつトリガ信号に応じて前記複数の読取ラインが位置する前記原稿の画像を当該複数の読取ラインにそれぞれ対応する複数のラインセンサにより読取って複数色成分のライン画像信号を出力する画像読取手段と、前記複数のラインセンサに対して個別に前記トリガ信号を出力するトリガ信号出力手段と、を備え、前記トリガ信号出力手段は、前記相対移動方向の下流側の読取ラインに対応するラインセンサに対してトリガ信号を出力した際に当該ラインセンサに対応する読取ラインが位置した読取ラインまで上流側の読取ラインが移動したときに、該上流側の読取ラインに対応するラインセンサに対してトリガ信号を出力することを特徴としている。
【０００７】
請求項２に記載のカラー画像読取装置は、請求項１に記載のカラー画像読取装置において、前記画像読取手段が出力したライン画像信号を色成分毎に異なる領域に格納する格納手段と、該格納手段の各領域からそれぞれ１ラインのライン画像信号を同時に読出して所定の転送先に転送する転送手段と、を備えることを特徴としている。
【発明の効果】
【０００８】
請求項１に記載のカラー画像読取装置によれば、画像読取手段から同じ読取ライン（主走査ライン）の画像を読取って得た各色成分のライン画像信号が連続して出力されるので、従来のカラー画像読取装置のように、メモリに対するタイミング制御やアドレス制御等の複雑なメモリ管理を行う必要がないという利点がある。また、不要なデータを取り込むことがないため、メモリを効果的に使用できるという利点がある。
【０００９】
請求項２に記載のカラー画像読取装置によれば、格納手段に色成分間で位置ずれのない状態の各色成分のライン画像信号を格納することができ、また、その色成分間で位置ずれのないライン画像信号を所定の転送先に転送することができる。
【発明を実施するための最良の形態】
【００１０】
本発明の実施の形態に係るカラー画像読取装置について図面に基づき説明する。このカラー画像読取装置１は、図１に示すように、制御部（ＣＰＵ：Central Processing Unit）１０、カラー画像読取部１１、ページメモリ１２、色空間変換部１３、コーデック（ＣＯＤＥＣ：Coder and Decoder）１４、画像メモリ１５、記録部１６、操作部１７、表示部１８、ＲＯＭ（Read Only Memory）１９、ＲＡＭ（Random Access Memory）２０、モデム２１及びＮＣＵ（Network Control Unit）２２を備えたものであって、各部１０乃至２２は、バス２３によって通信可能に接続されている。
【００１１】
制御部１０は、これら各部１１乃至２２の動作を制御する。カラー画像読取部１１は、制御部１０からの制御信号に基づいて、原稿の画像を読取ってカラー画像データを出力する。カラー画像読取部１１は、図示しない原稿自動供給装置（ＡＤＦ：Automatic Document Feeder）やフラットベッド読取部（ＦＢＳ：Flat Bed Scanner）を備えており、原稿の幅方向（主走査方向）の光源を原稿の長さ方向（副走査方向）に走査し、読取位置（以下、「読取ライン」ともいう。）に位置する原稿からの反射光を図２に示すカラーラインセンサ（ＣＣＤ：Charge Coupled Device）３１によって電気信号に変換して出力することにより、原稿の画像を読取ってカラー画像データを出力するものである。
【００１２】
このようなカラーラインセンサ３１は、図２に示すように、Ｒ（Red）、Ｇ（Green）、Ｂ（Blue）の３つのラインセンサ３１Ｒ，３１Ｇ，３１Ｂから構成され、これら３つのラインセンサ３１Ｒ，３１Ｇ，３１Ｂによって原稿の画像を読取ってＲＧＢ表色系のカラー画像データを出力する。カラーラインセンサ３１を構成する３つのラインセンサ３１Ｒ，３１Ｇ，３１Ｂは、図３に示すように、原稿に対する相対移動方向に所定の間隔Ｗを隔てた読取ラインＬＲ，ＬＧ，ＬＢに位置する原稿のライン（主走査ライン）の画像をそれぞれ読取って、ＲＧＢの３成分のライン画像信号からなるカラー画像データを出力する。ここで、ライン画像信号は、原稿の主走査方向に１ラインのデータである。
【００１３】
カラー画像読取部１１は、ＦＢＳとして原稿の画像を読取る場合には、図示しないが、光源と一部の反射ミラーを備えた走査キャリッジが原稿載置ガラスに対して水平に移動しながら原稿載置ガラスに載置された原稿を走査し、該原稿からの反射光を反射ミラー等によりカラーラインセンサ３１へ導いて原稿の画像を読取る。この場合、静止した原稿に対して読取ラインが副走査方向（図３に示す相対移動方向）に移動している。また、カラー画像読取部１１は、ＡＤＦによって搬送される原稿の画像を読取る場合には、走査キャリッジがプラテンガラスの下方に位置した状態で、ＡＤＦにより搬送される原稿からの反射光を反射ミラー等によりカラーラインセンサ３１へ導いて原稿の画像を読取る。この場合、静止した読取ラインに対して原稿が副走査方向に移動しており、読取ラインは、原稿に対して、図３に示した相対移動方向とは反対側に相対移動している。なお、カラー画像読取部１１は、ＡＤＦかＦＢＳかのいずれかを備えたものであってもよい。
【００１４】
カラー画像読取部１１は、図２に示すように、カラーラインセンサ３１の他に、トリガ信号発生回路３２、カウンタ回路３３、ＡＦＥ（Analog Front End）回路３４、Ａ／Ｄコンバータ３５及びシェーディング補正回路３６を備えたものである。トリガ信号発生回路３２は、トリガ信号ＴＧを所定の周期でカウンタ回路３３に出力する。カウンタ回路３３は、トリガ信号発生回路３２が出力したトリガ信号ＴＧを、レジスタ３７に格納された設定情報に基づき必要に応じ遅延させて、カラーラインセンサ３１の各ラインセンサ３１Ｒ，３１Ｇ，３１Ｂに対して個別にトリガ信号を出力する。Ｒ成分用のラインセンサ３１Ｒにはトリガ信号ＴＧＲが、Ｇ成分用のラインセンサ３１Ｇにはトリガ信号ＴＧＧが、Ｂ成分用のラインセンサ３１Ｂにはトリガ信号ＴＧＢがそれぞれ出力される。
【００１５】
ＡＦＥ回路３４は、ＲＧＢの各色成分毎のＡＦＥ回路３４Ｒ，３４Ｇ，３４Ｂからなり、カラーラインセンサ３１が白基準となる画像（例えば、図外の白基準板の画像）を読取って出力したＲＧＢの各色成分のデータに基づいてゲイン設定値を取得し、読取られた原稿のカラー画像データに対してゲイン調整を行う。取得したＲＧＢの各色成分のゲイン設定値は、ＡＦＥ回路３４が備えるレジスタ（不図示）に格納され、カラーラインセンサ３１によって原稿のカラー画像データが読取られた場合、ＡＦＥ回路３４は、レジスタに格納されている各色成分のゲイン設定値に基づいて各色成分のライン画像信号の各画素データの画素値を増幅する処理を行う。
【００１６】
Ａ／Ｄコンバータ３５は、ＲＧＢの各色成分毎のＡ／Ｄコンバータ３５Ｒ，３５Ｇ，３５Ｂからなり、ＡＦＥ回路３４においてゲイン調整されたカラー画像データの各色成分のライン画像信号の各画素データをＡ／Ｄ変換（Analog to Digital Conversion）する。
【００１７】
シェーディング補正回路３６は、ＲＧＢの各色成分毎のシェーディング補正回路３６Ｒ，３６Ｇ，３６Ｂからなり、Ａ／Ｄコンバータ３５においてＡ／Ｄ変換された原稿のカラー画像データに対して、光量ムラや光学部品の影響、及びカラーラインセンサ３１の画素感度のバラツキを補正するためにシェーディング補正を行うものであり、例えば、ＡＳＩＣ（Application Specific Integrated Circuit）等で構成されている。
【００１８】
ページメモリ１２は、カラー画像読取部１１から出力された各色成分のライン画像信号からなるカラー画像データを各色成分毎に異なる領域に格納するものであり、Ｒ成分のライン画像信号が格納されるＲ成分用領域と、Ｇ成分のライン画像信号が格納されるＧ成分用領域と、Ｂ成分のライン画像信号が格納されるＢ成分用領域と、から構成されている。  
【００１９】
図１に示す色空間変換部１３は、カラー画像読取部１１で読み取られた原稿のＲＧＢ表色系のカラー画像データに対し、例えば、Ｌ*ａ*ｂ*表色系のカラー画像データへと色空間変換し、明るさや色相の微調整等の色調整を行い、Ｌ*ａ*ｂ*表色系のカラー画像データをＣ（シアン）、Ｍ（マゼンタ）、Ｙ（イエロー）、Ｋ（ブラック）の出力表色系のカラー画像データへと色空間変換し、誤差拡散処理等を施して２値化する処理を行うものである。なお、ＲＧＢ表色系のカラー画像データから直接ＣＭＹＫのカラー画像データへと色空間変換したり、Ｌ*ａ*ｂ*表色系の代わりにＹＣｒＣｂ表色系のカラー画像データへと色空間変換した後に、ＣＭＹＫの出力表色系のカラー画像データへと色空間変換するようにしてもよい。
【００２０】
コーデック１４は、原稿の画像データを符号化（エンコード）・復号（デコード）するものである。具体的には、原稿のカラー画像データをＪＰＥＧ（Joint Photographic Experts Group）方式により符号化し、符号化されている画像データを復号する。画像メモリ１５は、ページメモリ１２から直接出力されたカラー画像データ、色空間変換部１３で色空間変換されたカラー画像データ、コーデック１４で符号化されたカラー画像データ、ファクシミリ受信した画像データなどを格納する。
【００２１】
記録部１６は、画像メモリ１５に格納されたカラー画像データの画像を用紙に記録する。この記録部１６における記録方式としては、例えば、電子写真方式やインクジェット記録方式等の各種の記録方式を用いることができる。操作部１７は、カラー画像読取部１１に原稿の読取開始を指示するためのスタートキー、コピー部数等を入力するためのテンキー、読取解像度の選択等の各種設定を行うためのカーソルキーなどの各種操作キーを備えている。表示部１８は、各種の設定状態やカラー画像読取装置１の動作状態などを文字や図形などで表示する液晶表示装置（ＬＣＤ：Liquid Crystal Display）や、点灯または消灯で表示するＬＥＤランプなどを備えている。なお、ＬＣＤをタッチパネル式のものとして、操作部１７の代わりに、この表示部１８から各種操作を行えるようにしてもよい。
【００２２】
ＲＯＭ１９は、制御部１０によりカラー画像読取装置１を構成する各部の動作を制御するための各種プログラムを記憶している。ＲＡＭ２０は、カラー画像読取装置１の処理動作に用いる設定情報や動作情報等の各種データを読出し及び書込み可能な状態で格納するメモリである。
【００２３】
モデム２１は、ＩＴＵ−Ｔ（国際電気通信連合電気通信標準化部門）の勧告Ｖ．３４規格又はこれと同様のものに従った送受信データの変調及び復調を行う。ＮＣＵ２２は、電話回線を制御して電話をかけたり切ったりする回線網制御装置であり、ＰＳＴＮ（Public Switched Telephone Network）２４に接続されている。
【００２４】
以下、上記のように構成されたカラー画像読取装置１において、操作部１７から原稿のカラー画像データを読取る指示が入力された場合のカラー画像読取装置１の各部の処理動作について説明する。なお、このカラー画像読取装置１の各部における処理動作は、制御部１０の制御命令に従って行われるものである。
【００２５】
操作部１７から原稿のカラー画像データを読取る指示が入力されると、まず、制御部１０は、カウンタ回路３３のレジスタ３７に設定情報を格納する。この設定情報は、具体的には、Ｒ成分に対するＧ成分のラインギャップ数及びＲ成分に対するＢ成分のラインギャップ数である。ここで、ラインギャップ数は、読取ラインの所定の間隔Ｗと操作部１７から選択設定された読取解像度に基づいて、制御部１０が決定する。
【００２６】
カラーラインセンサ３１は、図３に示したように、ＲＧＢの各色成分の読取ラインＬＲ，ＬＧ，ＬＢが原稿に対して相対移動する。このように相対移動する読取ラインＬＲ，ＬＧ，ＬＢに対応する各ラインセンサ３１Ｒ，３１Ｇ，３１Ｂは、トリガ信号ＴＧＲ，ＴＧＧ，ＴＧＢが出力されると、これに応じて、図４に示すように、読取ラインＬＲ，ＬＧ，ＬＢが位置する原稿の画像を読取って、読取った順にＲＧＢの各色成分の１ラインのライン画像信号をそれぞれ出力する。カラーラインセンサ３１は、読取ラインＬＲ，ＬＧ，ＬＢのうち、原稿に対する相対移動方向の最下流側に位置する読取ラインＬＲが、原稿の読取るべきライン（主走査ライン）Ｌ１の位置に最初に達する。このとき、読取ラインＬＧ，ＬＢは、原稿外であるラインＬ−２，Ｌ−４にそれぞれ位置しており、これらのラインの画像を読取る必要はない。そこで、読取ラインＬＲに対応するラインセンサ３１Ｒにトリガ信号ＴＧＲを出力した際に当該読取ラインＬＲが位置した原稿のラインＬ１まで他の読取ラインＬＧ，ＬＢが移動したときに、これら読取ラインＬＧ，ＬＢにそれぞれ対応するラインセンサ３１Ｇ，３１Ｂに対してトリガ信号ＴＧＧ，ＴＧＢを出力するように、前記レジスタ３７にＲ成分に対するＧ成分のラインギャップ数及びＲ成分に対するＢ成分のラインギャップ数をそれぞれ格納する。なお、ラインギャップ数は、色成分間の読取ラインの間隔を、操作部１７から選択設定された読取解像度によって除することにより定まる値である。
【００２７】
以下、この読取解像度をＷ／２とした場合を例に挙げて説明する。この場合、Ｒ成分に対するＧ成分のラインギャップ数は２、Ｒ成分に対するＢ成分のラインギャップ数は４となる。読取ラインＬＲが原稿のラインＬ１から２ラインのラインギャップ数だけずれたＬ３に位置するときに、読取ラインＬＧが原稿のラインＬ１に達しており、このときに読取ラインＬＢに対応するラインセンサ３１Ｂが原稿の画像を読取るように、カウンタ回路３３はトリガ信号ＴＧＧを出力する。そこで、図５に示すように、カウンタ回路３３は、トリガ信号ＴＧＧをトリガ信号ＴＧＲよりも、トリガ信号ＴＧの周期のＲ成分に対するＧ成分のラインギャップ数倍、すなわちトリガ信号ＴＧの周期の２倍分、遅延させて出力を開始する。また、同様に、カウンタ回路３３は、トリガ信号ＴＧＢをトリガ信号ＴＧＲよりも、トリガ信号ＴＧの周期のＲ成分に対するＢ成分のラインギャップ数倍、すなわちトリガ信号ＴＧの周期の４倍分、遅延させて出力を開始する。
【００２８】
読取ラインが原稿に対して相対移動し、原稿に対する相対移動方向の最下流側に位置するＲ成分の読取ラインＬＲが原稿のラインＬ１に達したとき、トリガ信号発生回路３２は、トリガ信号ＴＧを所定の周期でカウンタ回路３３に出力する。カウンタ回路３３は、トリガ信号ＴＧをレジスタ３７に格納されたラインギャップ数に応じて必要に応じ遅延させて、ＲＧＢの３つのラインセンサ３１Ｒ，３１Ｇ，３１Ｂにそれぞれトリガ信号ＴＧＲ，ＴＧＧ，ＴＧＢを個別に出力する。具体的には、ラインセンサ３１Ｒに出力されたトリガ信号ＴＧＲはトリガ信号ＴＧに対して遅延させられることなく出力が開始され、このトリガ信号ＴＧＲに応じてラインセンサ３１Ｒは原稿のラインＬ１の画像を読取ってＲ成分のライン画像信号Ｒ１を出力する。このとき、ラインセンサ３１Ｇ，３１Ｂへのトリガ信号ＴＧＧ，ＴＧＢはまだ出力が開始されていないので、ラインセンサ３１Ｇ，３１Ｂは読取りを行わない。次に、読取ラインが原稿に対してさらに相対移動して、読取ラインＬＲが原稿のラインＬ２に達したとき、ラインセンサ３１Ｒは原稿のラインＬ２の画像を読取ってＲ成分のライン画像信号Ｒ２を出力する。
【００２９】
読取ラインが原稿に対してさらに相対移動して、読取ラインＬＲが原稿のラインＬ３に達したとき、ラインセンサ３１Ｒは原稿のラインＬ３の画像を読取ってＲ成分のライン画像信号Ｒ３を出力する。また、このとき、読取ラインＬＧがラインＬ１に達し、トリガ信号ＴＧＲから２ライン分遅延したトリガ信号ＴＧＧがラインセンサ３１Ｇに出力され、トリガ信号ＴＧＧに応じてラインセンサ３１Ｇは原稿のラインＬ１の画像を読取ってＧ成分のライン画像信号Ｇ１を出力する。なお、ラインセンサ３１Ｂへのトリガ信号ＴＧＢはまだ出力が開始されていないので、ラインセンサ３１Ｂは読取りを行わない。次に、読取ラインが原稿に対してさらに相対移動して、読取ラインＬＲが原稿のラインＬ４に達したとき、ラインセンサ３１Ｒは原稿のラインＬ４の画像を読取ってＲ成分のライン画像信号Ｒ４を出力し、ラインセンサ３１Ｇは原稿のラインＬ２の画像を読取ってＧ成分のライン画像信号Ｇ２を出力する。
【００３０】
読取ラインが原稿に対してさらに相対移動して、読取ラインＬＲが原稿のラインＬ５に達したとき、ラインセンサ３１Ｒは原稿のラインＬ５の画像を読取ってＲ成分のライン画像信号Ｒ５を出力し、ラインセンサ３１Ｇは原稿のラインＬ３の画像を読取ってＧ成分のライン画像信号Ｇ３を出力する。また、このとき、読取ラインＬＢがラインＬ１に達し、トリガ信号ＴＧＲから４ライン分遅延したトリガ信号ＴＧＢがラインセンサ３１Ｂに出力され、トリガ信号ＴＧＢに応じてラインセンサ３１Ｂは原稿のラインＬ１の画像を読取ってＢ成分のライン画像信号Ｂ１を出力する。次に、読取ラインが原稿に対してさらに相対移動して、読取ラインＬＲが原稿のラインＬ６に達したとき、ラインセンサ３１Ｒは原稿のラインＬ６の画像を読取ってＲ成分のライン画像信号Ｒ６を出力し、ラインセンサ３１Ｇは原稿のラインＬ４の画像を読取ってＧ成分のライン画像信号Ｇ４を出力し、ラインセンサ３１Ｂは原稿のラインＬ２の画像を読取ってＢ成分のライン画像信号Ｂ２を出力する。以降、さらに読取ラインが原稿に対して相対移動したときも同様に、原稿の２ライン分ずつずれた互いに異なるラインの画像を３つのラインセンサ３１Ｒ，３１Ｇ，３１Ｂがそれぞれ読取って、ＲＧＢの各色成分のライン画像信号を出力する。
【００３１】
カラーラインセンサ３１が原稿の画像を読取ったＲＧＢの各色成分のライン画像信号は、ＲＧＢの各色成分毎にＡＦＥ回路３４においてゲイン調整され、Ａ／Ｄコンバータ３５においてＡ／Ｄ変換される。Ａ／Ｄ変換されたＲＧＢの各色成分のライン画像信号は、ＲＧＢの各色成分毎にシェーディング補正回路３６によりシェーディング補正されてページメモリ１２のＲＧＢの各色成分用領域にそれぞれ格納される。
【００３２】
ページメモリ１２に格納されたＲ成分のライン画像信号は、ページメモリ１２のＲ成分用領域内でラインセンサ３１Ｒが読取った順に、すなわちラインＬ１からライン順に原稿の画像を読取った毎に格納される。また、Ｇ成分及びＢ成分のライン画像信号も同様に、ページメモリ１２のＧ成分用領域及びＢ成分用領域内でラインセンサ３１Ｇ，３１Ｂが読取った順に、すなわちラインＬ１からライン順に原稿の画像を読取った毎に格納される。このように、受信したトリガ信号ＴＧＲ，ＴＧＧ，ＴＧＢに応じて各ラインセンサ３１Ｒ，３１Ｇ，３１Ｂは、原稿の同じラインＬ１の画像を読取ったライン画像信号Ｒ１，Ｇ１，Ｂ１から出力を開始する。そのため、カラーラインセンサ３１は原稿外の不必要なラインＬ−１，Ｌ−２等に位置する画像を読取ったライン画像信号を出力しないので、他の色成分のライン画像信号が揃わない不必要なライン画像信号はページメモリ１２に格納されず、ＲＧＢの各色成分のライン画像信号は位置ずれがない状態でページメモリ１２に格納される。ページメモリ１２に格納されたライン画像信号を色空間変換部１３に転送するときには、ＲＧＢの各色成分用領域の先頭からそれぞれ順にＲＧＢの各色成分の１ラインのライン画像信号を同時に読出すことによって、原稿の同じラインＬ１の画像を読取ったＲＧＢの各色成分のライン画像信号から順に、原稿の同じラインの画像を読取ったＲＧＢの各色成分のライン画像信号を同時に色空間変換部１３に転送することができる。
【００３３】
上記カラー画像読取部１１は、図２に示したように、ＲＧＢの各色成分毎のＡＦＥ回路３４及びＡ／Ｄコンバータ３５を備えるが、図６に示すように、ＲＧＢの各色成分に共通のＡＦＥ回路３４´及びＡ／Ｄコンバータ３５´を備えるカラー画像読取部１１´であってもよい。このカラー画像読取部１１´は、カラー画像データのＲＧＢ成分に応じて、各ラインセンサ３１Ｒ，３１Ｇ，３１ＢとＡＦＥ回路３４´との接続を切替える切替回路３８、及びＡ／Ｄコンバータ３５´と各シェーディング補正回路３６Ｒ，３６Ｇ，３６Ｂとの接続を切替える切替回路３９、とをさらに備える。ＡＦＥ回路３４´は、ＲＧＢの各色成分のゲイン設定値をそれぞれ格納するレジスタ（不図示）を備え、入力された色成分に応じてゲイン設定値を切替えて当該色成分のライン画像信号の各画素データの画素値を増幅する処理を行う。ＡＦＥ回路３４´のゲイン設定値や切替回路３８，３９の切替えは、ＲＯＭ１９に記録されたプログラムに基づいて制御部１０により制御される（プログラマブル）。このようにカラー画像読取部１１´を構成することにより、回路を節約することができる。
【００３４】
なお、本発明の実施の形態で示したカラー画像読取装置１においては、原稿に対する相対移動方向の最下流側に読取ラインＬＲが位置し、この読取ラインＬＲから上流側に所定の間隔Ｗを隔てて読取ラインＬＧが位置し、この読取ラインＬGからさらに上流側に所定の間隔Ｗを隔てて読取ラインＬBが位置しているが、読取ラインの並び方はこれに限定されるものではなく、読取ラインＬＲ，ＬＧ，ＬＢの順は異なっていてもよく、例えば、下流側からＬＢ，ＬＧ，ＬＲの順序であってもよい。また、読取ライン間の所定の間隔Ｗは等しくなくともよい。
【００３５】
また、カラー画像読取部１１は、原稿の画像をモノクロで読取ることができるものであってもよい。例えば、カラーラインセンサ３１が読取ったＲＧＢ３成分のカラー画像データのうちＧ成分のみをモノクロと見なしてモノクロ画像データを読取ってもよい。また、カラーラインセンサ３１を上記ＲＧＢの各色成分用のラインセンサ３１Ｒ，３１Ｇ，３１Ｂにモノクロ画像データを読取るモノクロ専用ラインセンサを加えた４ラインセンサとして、原稿のカラー、モノクロ双方の画像データを読取ることも可能である。これらの場合には、ページメモリ１２にモノクロ成分用領域を追加するとともに、図２に示したカラー画像読取部１１においては、モノクロ用のＡＦＥ回路、モノクロ用のＡ／Ｄコンバータ、及びモノクロ用のシェーディング補正回路、図６に示したカラー画像読取部１１´においては、ＡＦＥ回路３４´におけるモノクロ用のレジスタ、及びモノクロ用のシェーディング補正回路を、それぞれ追加すればよい。
【００３６】
また、カラー画像読取部１１は、ＡＤＦによって搬送される原稿の画像を固定式の密着形イメージセンサ（ＣＩＳ：Contact Image Sensor）からなるカラーラインセンサ３１により読取るものであってもよい。ＣＩＳは、図示しないが、ＡＤＦによって搬送される原稿をプラテンガラスに密着させ、この状態で光源から原稿に照射された光の反射光を光電変換素子で光電変換して出力することにより、原稿の画像を読取ってカラー画像データを出力するものである。この場合、静止した読取ラインに対して原稿が副走査方向に移動している。
【産業上の利用可能性】
【００３７】
本発明に係るカラー画像読取装置は、複数のラインセンサにより原稿の画像を読取って複数色成分のライン画像信号からなるカラー画像データを出力する機器等にて利用することができる。
【図面の簡単な説明】
【００３８】
【図１】本発明の実施の形態に係るカラー画像読取装置１のブロック図である。
【図２】カラー画像読取部１１とページメモリ１２とのブロック図である。
【図３】ＲＧＢの各色成分の読取ライン及びその原稿に対する相対移動方向を説明する図である。
【図４】カラー画像読取部１１から出力されるライン画像信号の時間順序と、これらを読取った原稿のライン及びＲＧＢの各色成分の読取ラインとの関係を説明する図である。
【図５】トリガ信号とライン画像信号の関係を示すシーケンス図である。
【図６】カラー画像読取部１１´とページメモリ１２とのブロック図である。
【図７】従来のカラー画像読取装置のブロック図である。
【符号の説明】
【００３９】
１  カラー画像読取装置
１０  制御部（転送手段）
１１、１１´  カラー画像読取部（画像読取手段）
１２  ページメモリ（格納手段）
１３  色空間変換部（転送先）
３１Ｒ，３１Ｇ，３１Ｂ  ラインセンサ
３３  カウンタ回路（トリガ信号出力手段）
【図１】
2006135583.tif 000003
【図２】
2006135583.tif 000004
【図３】
2006135583.tif 000005
【図４】
2006135583.tif 000006
【図５】
2006135583.tif 000007
【図６】
2006135583.tif 000008
【図７】
2006135583.tif 000009